(57)【特許請求の範囲】
【請求項１】
建築物の部材間に充填される断熱材の支持に用いる所定の厚みを有する帯板状の断熱材支持部材であって、
平行に並んだ少なくとも２つ以上の板材と、それら板材間を連結する複数のリブと、で形成されており、
支持部材全長において前記板材の配列方向への折り曲げ又は湾曲が容易で、かつ前記板材の短尺方向への曲げ剛性が高く構成されてなることを特徴とする断熱材支持部材。
【請求項２】
請求項１記載の断熱材支持部材を前記板材の配列方向に折り曲げ又は湾曲させて該断熱材支持部材の長さを調整して、該断熱材支持部材を建築物の部材間へ留め付け、次いで断熱材を該建築物の部材間に充填することを特徴とする断熱材の施工法。
【発明の詳細な説明】
【技術分野】
【０００１】
本発明は、建築物の部材間に施工される断熱材の支持部材、および施工法に関する。
【背景技術】
【０００２】
例えば木造住宅の床部位の断熱構造においては、様々な形状の受け金物を根太あるいは大引き等の部材上部に設置し、断熱材を支持することが一般的である。また、部材間に支持部材を架け渡すことで断熱材を支持する方法もある。具体的には、例えば特公昭５６−１９４２４号では、Ｚ型の金物を根太に設置し断熱材を支持する方法を提案しており、また特開２００３−３０７０２８号では、根太・大引き間に弓状に湾曲した支持部材を設置する方法を提案している。
【特許文献１】特公昭５６−１９４２４号公報
【特許文献２】特開２００３−３０７０２８号公報
【発明の開示】
【発明が解決しようとする課題】
【０００３】
しかし、特公昭５６−１９４２４号の方法では、断熱材の中心部を支持することができず、曲げ剛性の小さい断熱材を施工する場合、断熱材の撓みによって床材との間に隙間が生じ、冷気がこの隙間に侵入した場合に、断熱性能の低下をきたすこととなる。一方、特開２００３−３０７０２８号では、部材間に支持部材を架け渡して支持しているため、曲げ剛性の小さい断熱材を施工しても床材との間に隙間は生じないものの、部材寸法や部材間隔等の違いにより部材間の内法寸法が変わった場合、対応することができない。また、いずれの場合でも、部材上部に受け金物が設置されるため、歩行時に金具と床材が擦れ合って軋み音を発する問題がある。
【０００４】
本発明は、これらの問題点を同時に解決できるとともに、施工性及びコスト面に優れた断熱材支持部材およびその施工法を提供することを課題とする。
【課題を解決するための手段】
【０００５】
前記課題を達成するための本発明の内容は以下の通りである。
（１）建築物の部材間に充填される断熱材の支持に用いる所定の厚みを有する帯板状の断熱材支持部材であって、平行に並んだ少なくとも２つ以上の板材と、それら板材間を連結する複数のリブと、で形成されており、支持部材全長において前記板材の配列方向への折り曲げ又は湾曲が容易で、かつ前記板材の短尺方向への曲げ剛性が高く構成されてなることを特徴とする断熱材支持部材。
（２）（１）記載の断熱材支持部材を前記板材の配列方向に折り曲げ又は湾曲させて該断熱材支持部材の長さを調整して、該断熱材支持部材を建築物の部材間へ留め付け、次いで断熱材を該建築物の部材間に充填することを特徴とする断熱材の施工法。
【発明の効果】
【０００６】
本発明によれば、支持部材全長において厚さ方向への折り曲げ又は湾曲が容易で、かつ幅方向への曲げ剛性が高いことを特徴とする断熱材支持部材を用いるため以下の効果が期待できる。
（１）断熱材支持部材を折り曲げ又は湾曲することによって、容易に長さ調整が可能となり、様々な部材内法に対応できる。
（２）断熱材支持部材を任意の形状に折り曲げ又は湾曲することで、支持範囲を容易に変更できる。
【発明を実施するための最良の形態】
【０００７】
図１〜図３に本発明による断熱材支持部材の実施例を示す。断熱材支持部材１は、平行に並んだ少なくとも２つ以上の板材２と、それら板材間を連結する複数のリブ３で形成される。図１に示す断熱材支持部材は、平行に並んだ板材が直交する複数のリブで連結されて断熱材支持部材を形成している。図２に示す断熱材支持部材は、平行に並んだ板材が波型のリブで連結されて断熱材支持部材を形成している。図３に示す断熱材支持部材は、平行に並んだ板材がトラス状のリブで連結され断熱材支持部材を形成している。いずれの場合も、板材２を平行に並べ、板材間を複数のリブで形成することによって、断熱材支持部材１に厚みを与えることが可能となり、断熱材の支持ができ、幅方向の曲げ剛性を確保できる。
【０００８】
断熱材支持部材１はプラスチック・紙・金属あるいはこれらの複合材から形成すればよく、リブ３は厚さ方向へ折り曲げられる形状であれば形は選ばない。金属としては鉄、アルミ等が挙げられ、紙としてはダンボール等が挙げられ、プラスチックとしてはポリエチレン、ポリプロピレン等が上げられる。プラスチック製が押し出し成型により、一体で製造でき、製造しやすく、折り曲げが容易で、幅方向への曲げ剛性が高く好ましい。
次に本発明による断熱材の施工法を図４〜図８に基づき説明する。図４は、土台、大引き、胴差し、梁、桁、柱、間柱、根太、垂木、胴縁等の部材４間の内法に合わせて断熱材支持部材１をＺ型状に折り曲げ、部材４側面に釘、鋲、ピン、ねじ、ステープル等の固定金具５で留め付ける例である。断熱支持部材１は、支持部材全長において厚さ方向への折り曲げが容易なため、部材４間の内法がいかように変化しようとも、容易に長さ調整ができることとなる。
【０００９】
図５は、断熱支持部材１をくの字状に折り曲げ、平行する部材４とこれと直交する部材４間に固定金具５で留め付ける例である。図６は、断熱材支持部材１をＷ状に折り曲げ、平行する部材４間に固定金具５で複数箇所留め付ける例である。図７は、断熱材支持部材１をU状に湾曲させ、平行する部材４間に固定金具５で複数箇所留め付ける例である。いずれの場合も、断熱支持部材１を任意の形状に折り曲げ又は湾曲させて容易に留め付けられ、支持範囲を容易に変更することができる。次いで図８に示すように断熱材６を断熱材支持部材１に支持させて、該建築物の部材４間に充填する。断熱材支持部材１に厚みがあり、幅方向の曲げ剛性があることから、十分断熱材の支持が可能となる。断熱材としては、グラスウール・ロックウール等の繊維系断熱材、ポリエチレン系、スチレン系、フェノール系、ウレタン系等の樹脂発泡体からなる板状発泡断熱材が好適に用いられる。
【産業上の利用可能性】
【００１０】
本発明は断熱材の施工法に、好適に利用できる。
【図面の簡単な説明】
【００１１】
【図１】本発明の断熱材支持部材を示す斜視図
【図２】本発明の断熱材支持部材を示す斜視図
【図３】本発明の断熱材支持部材を示す斜視図
【図４】本発明の断熱材支持部材の施工法を示す斜視図
【図５】本発明の断熱材支持部材の施工法を示す斜視図
【図６】本発明の断熱材支持部材の施工法を示す斜視図
【図７】本発明の断熱材支持部材の施工法を示す斜視図
【図８】本発明の断熱材の施工法を示す斜視図
【符号の説明】
【００１２】
１    断熱材支持部材
２    板材
３    リブ
４    部材
５    固定金具
６    断熱材
【図１】
0004767602.tif 000002
【図２】
0004767602.tif 000003
【図３】
0004767602.tif 000004
【図４】
0004767602.tif 000005
【図５】
0004767602.tif 000006
【図６】
0004767602.tif 000007
【図７】
0004767602.tif 000008
【図８】
0004767602.tif 000009